(57)【要約】【課題】より簡易な構成で、光源の交換有無を判断することができる光源装置および画像投射装置を提供する。【解決手段】光源装置で、光源と、前記光源を駆動する光源駆動部と、前記光源駆動部を介して得られる前記光源の駆動電圧もしくは駆動電流を記憶する記憶部と、前記光源の駆動電圧もしくは駆動電流に関して、現在の値と前記記憶部に記憶された値を比較することで、前記光源の交換有無を判断する判断部と、を有する。【選択図】図１
2017156660.tif 000002
【特許請求の範囲】
【請求項１】
光源と、
前記光源を駆動する光源駆動部と、
前記光源駆動部を介して得られる前記光源の駆動電圧もしくは駆動電流を記憶する記憶部と、
前記光源の駆動電圧もしくは駆動電流に関して、現在の値と前記記憶部に記憶された値を比較することで、前記光源の交換有無を判断する判断部と、
を有することを特徴とする光源装置。
【請求項２】
前記光源の使用時間を計数する計数手段を有し、前記光源の交換が有る場合に前記計数手段の計数値をリセットすることを特徴とする請求項１に記載の光源装置。
【請求項３】
前記現在の値と前記記憶部に記憶された値との差分が所定範囲内でない場合に、前記光源の交換が有ったものと判断することを特徴とする請求項１または２に記載の光源装置。
【請求項４】
前記記憶部に記憶される値は、前記光源の消灯直前の値であることを特徴とする請求項１乃至３のいずれか１項に記載の光源装置。
【請求項５】
前記現在の値は、電源投入時の値であることを特徴とする請求項１乃至４のいずれか１項に記載の光源装置。
【請求項６】
前記光源は、第１の消費電力で点灯する第１モードと、前記第１の消費電力より低い第２の消費電力で点灯する第２モードと、で選択的に点灯可能であり、
前記記憶部は、前記第１モードにおける値と、前記第２モードにおける値と、をそれぞれ記憶することを特徴とする請求項１乃至５のいずれか１項に記載の光源装置。
【請求項７】
前記判断部とは別に、ユーザーが前記光源の交換有無を入力する操作部を有することを特徴とする請求項１乃至６のいずれか１項に記載の光源装置。
【請求項８】
前記光源は、超高圧水銀ランプであることを特徴とする請求項１乃至７のいずれか１項に記載の光源装置。
【請求項９】
請求項１乃至８のいずれか１項に記載の光源装置と、
画像表示素子と、
前記画像表示素子を照明する照明光学系と、
前記照明光学系からの光を前記画像表示素子に導くとともに、前記画像表示素子からの光を被投射面に導く色分解合成系と、
を有することを特徴とする画像投射装置。
【請求項１０】
前記画像表示素子に形成される原画像を投射画像として前記被投射面に結像させる投射光学系、をさらに有することを特徴とする請求項９に記載の画像投射装置。
【発明の詳細な説明】
【技術分野】
【０００１】
本発明は光源装置および画像投射装置に関するものであり、特に高圧放電ランプを使用した画像投射装置に好適なものである。
【背景技術】
【０００２】
近年、画像投射装置の光源としては、高圧放電ランプである超高圧水銀ランプが主流である。このような超高圧水銀ランプは高い発光効率で光を得られる一方で、使用時間に伴い照度が低下してしまうため、適切なタイミングで超高圧水銀ランプ（ランプユニット）を交換することが好ましい。
【０００３】
従来の液晶プロジェクタにおいてはランプ使用時間が記憶されており、ユーザーがランプユニットを交換したらユーザー自身がランプ使用時間をリセットする操作を行う必要があった。このリセット操作が行われないと液晶プロジェクタはランプユニットが交換されたかどうかを判断することができない。このため、例えばリセット操作をせずに所定の使用時間経過前にランプユニットを交換した際に、まだ充分な照度で照明できるにも関わらず新しく装着したランプユニットの交換を促す通知をしてしまうおそれがあった。
【０００４】
このような問題を解決する技術として、特許文献１及び２に記載の技術が知られている。特許文献１には、ランプユニットに設けられた記憶手段にランプ使用時間を書き込んでおき、ランプユニットから画像投射装置にランプ使用時間を通信させる技術が開示されている。これにより、ランプユニットに設けられた記憶手段から使用時間を読み込むことでそのランプユニットが新しいかどうか、つまり、ランプユニットが交換されたかどうかを判断することができる。
【０００５】
また、特許文献２には、画像投射装置にランプの着脱を検出するスイッチを設け、そのスイッチのＯＮ／ＯＦＦ（オン／オフ）でランプ交換を検出する技術が開示されている。
【先行技術文献】
【特許文献】
【０００６】
【特許文献１】特開２００３−３３０１１２号公報
【特許文献２】特開２００９−１９２７１１号公報
【発明の概要】
【発明が解決しようとする課題】
【０００７】
しかしながら、上述した従来技術は、ランプユニットに記憶手段を追加したり、画像投射装置にスイッチを追加したりする必要があり、装置の構成が複雑になってしまうおそれがある。
【０００８】
本発明の目的は、より簡易な構成で、光源の交換有無を判断することができる光源装置および画像投射装置を提供することにある。
【課題を解決するための手段】
【０００９】
上記目的を達成するために、本発明に係る光源装置は、光源と、前記光源を駆動する光源駆動部と、前記光源駆動部を介して得られる前記光源の駆動電圧もしくは駆動電流を記憶する記憶部と、前記光源の駆動電圧もしくは駆動電流に関して、現在の値と前記記憶部に記憶された値を比較することで、前記光源の交換有無を判断する判断部と、を有することを特徴とする。
【００１０】
また、本発明に係る画像投射装置は、上記光源装置を備えることを特徴とする。
【発明の効果】
【００１１】
本発明によれば、より簡易な構成で、光源の交換有無を判断することができる。
【図面の簡単な説明】
【００１２】
【図１】本発明の第１の実施形態における光源が点灯中の動作を示す図である。
【図２】第１の実施形態における前回と今回の光源点灯に関する比較動作を示す図である。
【図３】本発明の実施形態における光源装置の構成を示す図である。
【図４】本発明の実施形態におけるランプ点灯時間によるランプ電圧の推移を示す図である。
【図５】第２の実施形態における光源が点灯中の動作を示す図である。
【図６】第２の実施形態における前回と今回の光源点灯に関する比較動作を示す図である。
【図７】ランプ交換に関するメッセージを示す図である。
【図８】本発明の実施形態に係る光源装置を搭載した画像投射装置の構成を示す図である。
【発明を実施するための形態】
【００１３】
以下に、本発明の好ましい実施の形態を、添付の図面に基づいて詳細に説明する。
【００１４】
《第１の実施形態》
（画像投射装置）
図８は、本発明の実施形態に係る後述の光源装置を備えた画像投射装置（投射型画像表示装置）１００の構成を示す図である。画像投射装置１００は画像を表示する機能を有し、反射型液晶表示素子５０に形成される原画像を被投射面であるスクリーン５００に投射する。
【００１５】
画像投射装置１００は、筐体１１０と、光源としての高圧放電ランプ（ランプ）１０と、照明光学系２０と、色分解合成光学系（色分解合成系）３０と、投射光学系（投射レンズ光学系）４０と、液晶表示素子５０と、を有する。更に、記憶部（メモリ）６０と、制御手段７０と、演算手段８０と、を有する。
【００１６】
光を生成する機能を有するランプ１０の周りには、送風部として冷却用の風を送るためのランプ冷却ＦＡＮ（冷却ファン）９５と、冷却ファン９５からの風を開口部を介してランプ１０に導くための導風路９０が配置される。そして、冷却ファン９５は、ＦＡＮ制御手段（ファン制御手段）９８によって、回転数が制御される。
【００１７】
照明光学系２０は、ランプ１０からの光を色分解合成光学系３０に伝達する機能を有する。照明光学系２０は、シリンダアレイ２１及び２２と、紫外線吸収フィルタ２３と、偏光変換素子２４と、フロントコンプレッサ２５と、反射ミラー２６と、コンデンサーレンズ２７と、リアコンプレッサ２８とを有する。
【００１８】
シリンダアレイ２１及び２２は、カメラ、検出器、走査装置内等に組み込まれている感光素子の複合体である。シリンダアレイ２１は、光軸γに対して垂直方向に屈折力を有するレンズアレイである。シリンダアレイ２２は、シリンダアレイ２１の個々のレンズに対応したレンズアレイを有する。本実施形態では、シリンダアレイ２１は、ランプ１０の前方に配置され、シリンダアレイ２２は、後述する紫外線吸収フィルタ２３の前方に配置される。
【００１９】
紫外線吸収フィルタ２３は、紫外線を吸収する機能を有し、シリンダアレイ２１とシリンダアレイ２２との間に配置される。また、偏光変換素子２４は、無偏光光を所定の偏光光に変換する機能を有し、シリンダアレイ２２の前方に配置される。
【００２０】
レンズであるフロントコンプレッサ２５は、水平方向において屈折力を有するシリンドリカルレンズで構成され、偏光変換素子２４の前方に配置される。反射ミラー２６は、ランプ１０からの光を反射する機能（本実施形態では光軸を９０度変換する）を有し、フロントコンプレッサ２５の前方に配置される。
【００２１】
コンデンサーレンズ２７は、ランプ１０からの光を集め、投射レンズ光学系（投射光学系、投射手段）４０の瞳内に光源の像を結ばせることによって、物体を均等に照明するもので、反射ミラー２６の前方に配置される。また、リアコンプレッサ２８は、水平方向において屈折力を有するシリンドリカルレンズで構成され、コンデンサーレンズ２７の前方に配置されている。
【００２２】
光遮断部品２９は、ランプ１０からの光を段階的に遮断する絞りのような構成部品、またはランプ１０からの光を全て遮断するシャッターのような構成部品からなり、ランプ１０側（入射側）は反射ミラーで構成される。
【００２３】
色分解合成系３０は、ランプ１０からの光を分解及び合成する機能を有し、ダイクロイックミラー３１と、偏光板３２と、偏光ビームスプリッター３３と、１／４波長板３５と、色選択性の位相差板３６（３６ａ、３６ｂ）とを有する。そして、ダイクロイックミラー３１は、青（Ｂ）と赤（Ｒ）の波長領域の光を反射し、緑（Ｇ）の波長領域の光を透過し、リアコンプレッサ２８の前面に配置される。
【００２４】
偏光板３２は、Ｓ偏光光のみを透過させる機能を有し、偏光板３２ａ、３２ｂ及び３２ｃとを有する。偏光板３２ａは、透明基板に偏光素子を貼り合わせた緑用の入射側偏光板であり、Ｓ偏光光のみ透過し、ダイクロイックミラー３１の前方に配置されている。また、偏光板３２ｂは、透明基板に偏光素子を貼り合わせた赤青用の入射側偏光板で、Ｓ偏光光のみ透過し、ダイクロイックミラー３１の前方に配置されている。また、偏光板３２ｃは、透明基板に偏光素子を貼り合わせた赤青用の出射側偏光板（偏光素子）であり、Ｓ偏光のみを透過する。
【００２５】
偏光ビームスプリッター３３は、偏光分離面を有し、Ｐ偏光光を透過し、Ｓ偏光光を反射するもので、偏光ビームスプリッター３３ａ、３３ｂ及び３３ｃを有する。偏光ビームスプリッター３３ａは、Ｐ偏光光を透過し、Ｓ偏光光を反射し、偏光板３２ａの前面に配置される。また、偏光ビームスプリッター３３ｂは、Ｐ偏光光を透過し、Ｓ偏光光を反射し、色選択性の位相差板３６ａの前面に配置される。また、偏光ビームスプリッター３３ｃは、Ｐ偏光光を透過し、Ｓ偏光光を反射し、偏光ビームスプリッター３３ａの前面に配置される。
【００２６】
１／４波長板３５は、位相差を与える機能を有し、１／４波長板３５Ｒ、３５Ｇ及び３５Ｂとを有する。１／４波長板３５Ｒは、偏光ビームスプリッター３３ｂと後述する液晶表示素子５０Ｒとの間に配置される。また、１／４波長板３５Ｇは、偏光ビームスプリッター３３ａと後述する液晶表示素子５０Ｇとの間に配置される。また、１／４波長板３５Ｂは、偏光ビームスプリッター３３ｂと後述する液晶表示素子５０Ｂとの間に配置される。
【００２７】
色選択性の位相差板３６ａは、青色の光の偏光方向を９０度変換し、赤色の光の偏光方向は変換しないもので、偏光板３２ｂと偏光ビームスプリッター３３ｂとの間に配置される。色選択性の位相差板３６ｂは、赤色の光の偏光方向を９０度変換し、青色の光の偏光方向は変換しないもので、偏光板３２ｃと偏光ビームスプリッター３３ｂとの間に配置される。
【００２８】
反射型の液晶表示素子５０（５０Ｒ、５０Ｇ、５０Ｂ）は、ガラス基板とＳｉ基板の間に液晶層を封入し作製されている。ガラス基板には透明電極が配置され、Ｓｉ基板には反射型液晶表示素子５０を駆動させるための半導体回路が構成されており、表面に反射電極が配置されている。透明電極はＩＴＯ電極であり、反射電極はＡｌ等を主成分とする電極である。
【００２９】
この反射型液晶表示素子５０における液晶材料の屈折率異方性をΔｎとする。屈折率異方性とは液晶分子の長軸方向の屈折率ｎｅと単軸方向の屈折率ｎｏとの差で与えられる。この屈折率の値は波長分散特性を有し、各々の波長に対して固有の値を有する。
【００３０】
そして、透明電極と反射電極の間に電圧を印加することで、液晶層に存在する液晶材料の向きを変化させることで、屈折率異方性Δｎを変化させ、偏光された入射光に対して位相差を付与することが可能となる。位相差を付与され入射偏光軸と異なる偏光軸となった光は、偏光ビームスプリッター３３ａ、３３ｂ及び３３ｃで選択的に透過または反射されることで投射レンズ光学系４０に導かれ、投射される。
【００３１】
一方、位相差を付与されず入射偏光軸と同じ偏光軸の光は、先ほどとは逆の特性で偏光ビームスプリッター３３ａ、３３ｂ及び３３ｃで選択的に反射または透過されることで、高圧放電ランプ１０まで戻っていく。
【００３２】
投射レンズ光学系４０は、照明光学系２０及び色分解合成光学系３０を介した高圧放電ランプ１０からの光を照射する。投射レンズ光学系４０は、鏡筒４０ａに図示しない複数の光学素子で構成されている。また、投射レンズ光学系４０は、スクリーン５００に結像された投射画像をシフトすることが可能なシフト機構４１を有する。
【００３３】
（光源装置）
次に、光源としてのランプ１０、光源駆動部１２、制御部２００、記憶部３００を備える高圧放電ランプ装置（光源装置）１の構成を図３で説明する。
【００３４】
本実施形態におけるランプ１０は超高圧水銀ランプであり、石英ガラスからなるバルブ１１と、バルブから発光された光を反射するリフレクタ１８を備えている。バルブ１１は、内部に放電空間を有しており、その放電空間にはタングステンからなる一対の電極１４、１５が配置されている。また、電極１４、１５はバルブ１１の両内側に封止されており、電極１４，１５の先はモリブデンからなる金属箔１６を介して、外部リード線１７に接続されている。
【００３５】
また、バルブ１１の放電空間には、発光物質である水銀とハロゲン物質と希ガスとが封入されている。そして、バルブ１１の片側はリフレクタ１８に固定部１９を介して固定されている。リフレクタ１８は結晶化ガラスと反射部材より構成されており、バルブ１１から発光された光を反射し、リフレクタ１８の開口側から照射する。そして、固定部１９側の電極を固定部電極１４、開口側の電極を開口側電極１５とする。
【００３６】
また、外部リード線１７はそれぞれリフレクタ１８の外側を引き回し、外側に引き回された外部リード線１７と、光源駆動部（高圧放電ランプ用駆動部）１２とを接続し、制御された点灯電力を供給することでランプ１０が点灯可能となる。
【００３７】
また、光源駆動部１２は制御部２００と接続されており、制御部２００では光源駆動部１２からランプ１０に供給する電力等の駆動条件を制御する（例えば定電力制御を行う）。また、光源駆動部１２および制御部２００を備える検出部Ｍで、ランプ１０の駆動電圧を検出することが可能である。また、制御部２００には記憶部３００が接続され、制御部２００で検出したランプ１０の駆動電圧を記憶する。また、制御部２００にはランプ１０の使用時間を計数する計数手段（カウンタ）４００が接続される（図８）。
【００３８】
さて、発光に際しては、光源駆動部１２より電力を供給すると、外部リード線１７と金属箔１６を介して電極１４、１５に高圧パルスが印加される。そして、電極１４、１５間に放電が発生する。その結果、バルブ１１の放電空間の温度が上昇し、放電空間内に封入されている水銀が蒸発する。その蒸発した水銀に電極１４、１５から放出された電子が衝突することにより、発光する。
【００３９】
現在の主流は、電極１４、１５に交流電力を印加する交流方式である。従って、電極１４、１５から、それぞれ交互に電子が放出し、対向する電極に電子が衝突する。電極の温度は、電子の衝突量すなわち電流量によって変化することが知られている。本実施形態のように、デューティ（Ｄｕｔｙ）５０％で交流駆動している場合は、それぞれの電極１４、１５に等しい電流が流れるため、電極１４、１５の温度はほぼ等しく、電極先端は３０００℃付近まで上昇する。
【００４０】
また、交流駆動ランプの交流周波数はフリッカが視認されないように、１２０Ｈｚ以上であることが一般的であり、３６０Ｈｚ以上であることがより好ましい。このようにして、光源駆動部１２によりランプ１０より発せられた光をリフレクタ１８にて反射し、画像投射装置として利用できる。
【００４１】
しかしながら、ランプ１０は使用時間に伴い、以下の現象が発生することで、照度の低下やランプの故障が発生する。即ち、点灯時に、電極１４、１５には電子が直接電極に衝突するため、電極材料であるタングステンの蒸発が発生する。その結果、バルブ１１の内部放電空間の内側に蒸発したタングステンが付着してしまう。タングステンが付着すると、タングステンは光を吸収してしまい、ランプ１０の明るさが低下する。また、バルブ１１の温度も１０００℃近くまで上昇しており、石英ガラスが結晶化してしまう。結晶化すると、ランプ１０の明るさが低下する。
【００４２】
さらに、バルブ１１の内部放電空間の内側に蒸発したタングステンが付着してしまうと、局所的に放電空間の内側の温度が上昇してしまう。その結果、局所的な熱歪みの発生や、石英ガラスの結晶化が進むことで、ランプの故障が発生する。
【００４３】
また、電極材料であるタングステンが蒸発することで、電極１４、１５の間隔が広くなる。その結果、図４に示すようにランプ電圧が上昇していく。このランプ電圧の変化は、短時間での微小な変化は有るものの、長期的にみると一方的に上昇していく。
【００４４】
このように、ランプ１０は、使用時間に伴い上述した明るさ低下とランプの故障が発生する確率が高くなる。従って、画像投射装置１００において、ランプ１０は交換部品として、交換できるようになっている。
【００４５】
（ランプ交換有無の判断部）
以下、本実施形態におけるランプ１０の交換有無の判断をする判断部である制御部２００について、ランプ１０の交換有無の判断のフローを説明する。
【００４６】
１）前回の点灯における消灯直前のランプ電圧（記憶部に記憶されるランプ電圧）の検出
先ず、図１を使用して、画像投射装置１００の電源が既に入っていてランプ１０が点灯中における制御部２００の動作を説明する。ランプ１０を点灯中、制御部２００にて光源駆動部１２よりランプ電圧を検出する（Step1）。そして、制御部２００にて検出したランプ電圧を記憶部３００に記憶する（Step2）。また、ユーザーが画像投射装置１００の電源を切るかどうかを確認する（Step3）。
【００４７】
電源が切られず引き続き使用する場合は、再度Step1に戻り制御部２００にてランプ電圧を検出する。一方、電源が切られた場合は、図１のフローを終了させる（Step4）。従って、記憶部３００には消灯直前のランプ電圧が記憶されている。
【００４８】
２）今回の点灯におけるランプ電圧（制御部で検出されるランプ電圧）の検出、並びに記憶部に記憶されているランプ電圧との比較
次に、図２を使用して、画像投射装置１００の電源を入れた際（電源投入時）の制御部２００の動作を説明する。先ず、画像投射装置１００の電源を投入する（Step1）。電源が投入されると、制御部２００にて光源駆動部１２よりランプ電圧を検出する（Step2）。そして、検出したランプ電圧と記憶部３００に記憶されているランプ電圧を比較する（Step3）。そして、この電圧の差が所定の範囲内であるかを検知する（Step4）。電圧の差が所定の範囲内であれば、ランプ１０は交換されていないと判断して、以降図２のフローを繰り返す。
【００４９】
一方、電圧の差分が所定範囲内でない場合（所定の範囲より大きい場合）、ランプ１０は交換されたと判断する（Step5）。
【００５０】
このようにして、画像投射装置１００の電源投入時に、この図２のフローを行うことで、新たに部品を追加することなく、ランプ電圧を検出し記憶されているランプ電圧と比較することで、制御部２００によりランプ交換の有無を判断することが可能となる。
【００５１】
（ランプ交換が行われたと判断された場合）
次に、上述した制御部２００による検出でランプ交換が行われたと判断された際の制御部２００の動作について説明する。
【００５２】
１）ランプ使用時間を自動リセットするために電圧変化検知を利用する場合
このように、画像投射装置１００において、ランプ交換が行われたと判断された際には、計数手段４００（図８）の計数値としてのランプ使用時間を自動的にリセットすることができる。そうすることで、ユーザーにランプの使用時間を表示する場合に、ユーザーがランプの使用時間をリセットする動作をわざわざ行うことなく、正確なランプの使用時間を新たに記録することが可能となる。このリセットにより、次にランプ交換が必要なときにその旨のメッセージを、ランプが切れて使えなくなる前の適切なタイミングでユーザーに正しく表示することが可能となる。
【００５３】
なお、ユーザーにランプの使用時間を表示する場合に限らず、ユーザーにランプの使用時間を表示しない場合（例えばサービスマンのみに表示する場合）に、ランプ使用時間を自動リセットするために電圧変化検知を利用することもできる。そして、このリセットにより、次にランプ交換が必要なときにその旨のメッセージを、ランプが切れて使えなくなる前の適切なタイミングでユーザーに正しく表示することが可能となる。
【００５４】
２）ランプ使用時間の手動リセットの予備段階として電圧変化検知を利用する場合
図７に示すようなメッセージを操作部に表示し、電圧変化検知でランプ交換を検知した場合に、ユーザーに対してランプ交換の有無を判断させることもできる。即ち、
ユーザーがランプ１０の交換有無を入力する操作部を有し、ユーザーが実際にランプ交換をした場合は「はい」、ランプ交換をしない場合は「いいえ」を選択（入力）できるようにメッセージを表示する。そうすることで、仮にランプ交換と判断する電圧変化検知が誤検知された場合にも、誤って自動的にランプ使用時間をリセットすることを回避することが可能となる。この場合、ランプの使用時間のリセットはユーザーにより手動でなされることとなる。
【００５５】
《第２の実施形態》
次に、本発明の第２の実施形態を、図５に示すフローチャートにて説明する。本実施形態の画像投射装置１００は、ランプ１０を複数の電力で点灯できるモードを持っている。これは消費電力が大きいが明るく使用できるモード（第１モード）と、明るさは暗くなるが消費電力を低くすることができるモード（第２モード）などが一般的である。本実施形態では、２つの電力モードAとBを有している。
【００５６】
以下、本実施形態における制御部２００によるランプ１０の交換有無の判断のフローに関して説明する。
【００５７】
１）前回の点灯における消灯直前のランプ電圧（記憶部に記憶されるランプ電圧）の検出
画像投射装置１００の電源を投入すると、制御部２００は光源駆動部１２を介してランプ電力を検出し、ランプ点灯にいずれの電力が使用されているかを選択する（Step1）。そして、使用されている電力に応じて、制御部２００は光源駆動部１２を介してランプ電圧を検出する（Step2）。そして、制御部２００にて検出したランプ電圧をそれぞれの電力に応じた値として記憶部３００に記憶する（Step3）。
【００５８】
従って、本実施形態の場合、記憶部３００にはランプ電力Aの時のランプ電圧と、ランプ電力Bの時のランプ電圧の２つを記憶することができる。そして、ユーザーが画像投射装置１００の電源を切るかどうかを確認する（Step4）。電源が切られず引き続き使用する場合は、再度Step1に戻り制御部２００にてランプ電力を検出する。一方、電源が切られた場合は、図５のフローを終了させる（Step5）。従って、記憶部３００には消灯直前のランプ電圧が記憶されている。
【００５９】
２）今回の点灯におけるランプ電圧（制御部で検出されるランプ電圧）の検出、並びに記憶部に記憶されているランプ電圧との比較
次に、図６を使用して、画像投射装置１００の電源を入れた際（電源投入時）の制御部２００の動作を説明する。先ず、画像投射装置１００の電源を投入する（Step1）。電源が投入されると、制御部２００は光源駆動部１２を介してランプ電力を検出し、どの電力で使用されているかを選択する（Step2）。そして、それぞれの電力に応じて、制御部２００は光源駆動部１２を介してランプ電圧を検出する（Step3）。
【００６０】
そして、それぞれの電力に応じて検出したランプ電圧と、記憶部３００に記憶されているランプ電圧と、を比較する（Step4）。そして、この電圧の差が所定の範囲内であるかを検知する（Step5）。電圧の差が所定の範囲内であれば、ランプ１０は交換されていないと判断して、図５のフローを繰り返す。一方、電圧の差分が所定範囲内でない場合（所定の範囲より大きい場合）、ランプ１０は交換されたと判断する（Step6）。
【００６１】
このようにして、画像投射装置１００の電源投入時に、この図６のフローを行うことで、新たに部品を追加することなく、ランプ電圧を検出し記憶されているランプ電圧と比較することで、制御部２００によりランプ交換の有無を判断することが可能となる。
【００６２】
（変形例）
以上、本発明の実施の形態を説明したが、本発明はこれらの実施の形態に限定されず、その要旨の範囲内で様々な変形及び変更が可能である。
【００６３】
（変形例１）
上述した実施形態では、光源としてのランプ１０の駆動電圧（ランプ電圧）を検出し記憶値と比較することでランプ交換の有無を判断したが、ランプ１０の駆動電流（ランプ電流）を検出し記憶値と比較することでランプ交換の有無を判断しても良い。なお、光源としてはランプ１０に限られない。また、光源装置の被照明体としては画像表示素子に限られない。
【００６４】
（変形例２）
また、上述したランプ電圧もしくはランプ電流の変化でランプ交換の有無を判断するだけでなく、画像投写装置１００に搭載されている他の検知手段（例えば、ランプが点灯しなかったことを検知する検知手段）と併せて用いることもできる。その場合、より精度高くランプ交換有無を検知可能となる。
【符号の説明】
【００６５】
１０・・高圧放電ランプ、１２・・光源駆動装置、２００・・制御部、３００・・記憶部
【図１】
2017156660.tif 000003
【図２】
2017156660.tif 000004
【図３】
2017156660.tif 000005
【図４】
2017156660.tif 000006
【図５】
2017156660.tif 000007
【図６】
2017156660.tif 000008
【図７】
2017156660.tif 000009
【図８】
2017156660.tif 000010